(57)【要約】【課題】積層方向のピッチが小さくても確実に接続することができる多層ＤＮＡマイクロアレイと多層ＤＮＡマイクロアレイ用コネクタを提供する。【解決手段】絶縁性を有する基板上に導電性を有するリード部と核酸が固定化された検出部とが直列に形成されたＤＮＡマイクロアレイユニットが、基板のリード部側端面のリード部が露出するように階段状に複数積層されるように構成されているので、積層方向のピッチが小さくても確実に接続することができる。【選択図】　　　図１
2004012439.tif 000002
【特許請求の範囲】
【請求項１】
絶縁性を有する基板上に導電性を有するリード部と核酸が固定化された検出部とが直列に形成されたＤＮＡマイクロアレイユニットが、基板のリード部側端面のリード部が露出するように階段状に複数積層されていることを特徴とする多層ＤＮＡマイクロアレイ。
【請求項２】
ＤＮＡマイクロアレイユニットが接着層を介して積層されている請求項１記載の多層ＤＮＡマイクロアレイ。
【請求項３】
ＤＮＡマイクロアレイユニットが、複数組のリード部および検出部が並行して配置されるように形成されたものである請求項１〜２のいずれかに記載の多層ＤＮＡマイクロアレイ。
【請求項４】
絶縁性を有する基板上に導電性を有する端子部と導電性を有するリード部とが直列に形成された導電ユニットが、基板の端子部側端面の端子部が露出するように階段状に複数積層されていることを特徴とする多層ＤＮＡマイクロアレイ用コネクタ。
【発明の詳細な説明】
【０００１】
【発明の属する技術分野】
この発明は、電気化学的にＤＮＡやＲＮＡを検出する方法において用いることができる多層ＤＮＡマイクロアレイと多層ＤＮＡマイクロアレイ用コネクタに関する。
【０００２】
【従来の技術】
従来より、遺伝子構造を大量に効率的に解析するための解析ユニットとしてＤＮＡマイクロアレイがある（ＤＮＡチップともいう）。
【０００３】
ＤＮＡマイクロアレイとして、プローブＤＮＡを電極型センサに適用する方法がある（特開平９−２８８０８０参照）。すなわち、出力端子を備えた電極であって、プローブＤＮＡが固定された電極と試料ＤＮＡとを反応させ、反応後の電極の電流を測定することにより、プローブＤＮＡと試料ＤＮＡとで形成されるハイブリッドＤＮＡの存在を検出あるいはハイブリッドＤＮＡの量を測定する方法である。すなわち、導電性物質で修飾されたプローブＤＮＡが結合した電極を、試料ＤＮＡを含む検体溶液に導入することにより、プローブＤＮＡと相補的な配列を有する試料ＤＮＡがハイブリダイズし、ハイブリッドＤＮＡが形成される。このハイブリダイゼーションは、インターカレーターの存在下で行なう。インターカレーターは、ハイブリッドＤＮＡの層間に侵入し、一種の電荷移動錯体を形成する。ハイブリッドを形成しない場合、つまり一本鎖のままであれば、インターカレーションは起こらない。インターカレーションにより、電極に流れる電流量が変化する。この電流は、ハイブリダイズにより形成された二本鎖ＤＮＡにインターカレートしたインターカレーターの酸化、還元によるものである。二本鎖ＤＮＡの形成の程度はインターカレートの程度として検出することができる。したがって、電極に流れる電流量を検出および／または測定することにより、ハイブリッドＤＮＡの存在が検出され、あるいはハイブリッドＤＮＡの量が測定される。このような電気化学的検出方式に用いるＤＮＡマイクロアレイは、ＥＣＡ（Ｅｌｅｃｔｒｏｎｉｃ　Ｃｈｅｍｉｃａｌ　Ａｒｒａｙ）チップともいう。
【０００４】
電気化学的検出方式に用いるＤＮＡマイクロアレイの電極としては、蒸着法で形成されたアレー状に配置された多数の微細な金電極上に、それぞれ異なる種類の合成オリゴＤＮＡを共有結合させたものがある（特開２０００−５０９３１参照）。各金電極に異なる種類の合成オリゴＤＮＡを供給する手段としては、フォトリソグラフィー法を利用した方法や、ディスペンサーで反応性物質を滴下する方法がある。
【０００５】
これらのＤＮＡマイクロアレイでは、同一平面上に電極を構成するのが一般的である。基板に高集積度を要する核酸を固定化するには、核酸が固定化されるスポットの面積を小さくする方法が一般的に採られる。このような構成のＤＮＡマイクロアレイにおける信号の取り出し方法としては、基板の端に引き回し回路を形成したり、基板の背面にスルーホールで接続された接続部を形成するなどの方法が挙げられるが、集積度を高めると、引き回し回路の形成やスルーホールで接続された接続部の形成が困難になる。
【０００６】
そこで、高精度な設備を必要とせずに集積度を高めることが可能な方式として、印刷法を利用して得ることができる多層ＤＮＡマイクロアレイがある。印刷法を利用した多層ＤＮＡマイクロアレイとは、ターゲットＤＮＡを検出するためのＤＮＡプローブが固定化された電極を絶縁性を有する基板上に印刷法を利用して形成してＤＮＡマイクロアレイユニットとし、複数のＤＮＡマイクロアレイユニットを接着層を介して複数積層して多層化したものである。各ＤＮＡマイクロアレイユニット上には１組または複数組の検出部とリード部とが直列に形成されている。すなわち、図５に示すように、ＤＮＡを測定する検出部１２と、検出部１２からの信号を外部に伝えるためのリード部１３とが対をなして形成されている。たとえば、各ＤＮＡマイクロアレイユニットに複数の検出部が形成されていた場合、１つの多層ＤＮＡマイクロアレイ中には、各ＤＮＡマイクロアレイユニット上の検出部の数にＤＮＡマイクロアレイユニットの積層数を掛け合わせた数のリード部が存在することになる。
【０００７】
多層ＤＮＡマイクロアレイユニットは消耗品であるため、測定を行うごとに多層ＤＮＡマイクロアレイユニットを交換する必要がある。したがって、多層ＤＮＡマイクロアレイユニットを測定装置に接続するには、通常、多層ＤＮＡマイクロアレイ用コネクタを用いる。多層ＤＮＡマイクロアレイ用コネクタは、多層ＤＮＡマイクロアレイからの信号を受信するため、多層ＤＮＡマイクロアレイと同数の端子部を、多層ＤＮＡマイクロアレイと同様のピッチを有する。多層ＤＮＡマイクロアレイと多層ＤＮＡマイクロアレイ用コネクタとしては、一般的に図７に示す断面図のような構成である。このような構成において、多層ＤＮＡマイクロアレイ１と多層ＤＮＡマイクロアレイ用コネクタ２とは、通常サンプル量を少なくするために、ＤＮＡマイクロアレイユニットを構成する各層の厚さを小さくしてピッチをできるだけ小さくすることが好ましい。
【０００８】
【発明が解決しようとする課題】
しかし、ＤＮＡマイクロアレイユニットを構成する各層の厚さを薄くして積層方向のピッチを小さくすると、多層ＤＮＡマイクロアレイや多層ＤＮＡマイクロアレイ用コネクタの接続部分が撓むため、両者を挿入して接続するのが困難になるという問題があった。
【０００９】
したがって、この発明は、上記のような問題点を解消し、積層方向のピッチが小さくても確実に接続することができる多層ＤＮＡマイクロアレイと多層ＤＮＡマイクロアレイ用コネクタを提供することを目的とする。
【００１０】
【課題を解決するための手段】
この発明の多層ＤＮＡマイクロアレイと多層ＤＮＡマイクロアレイ用コネクタは、以上の目的を達成するために、つぎのように構成した。
【００１１】
つまり、この発明の多層ＤＮＡマイクロアレイは、絶縁性を有する基板上に導電性を有するリード部と核酸が固定化された検出部とが直列に形成されたＤＮＡマイクロアレイユニットが、基板のリード部側端面のリード部が露出するように階段状に複数積層されるように構成した。
【００１２】
また、上記の発明において、ＤＮＡマイクロアレイユニットが接着層を介して積層されるように構成してもよい。
【００１３】
また、上記の発明において、ＤＮＡマイクロアレイユニットが、複数組のリード部および検出部が並行して配置されるように構成してもよい。
【００１４】
また、この発明の多層ＤＮＡマイクロアレイ用コネクタは、絶縁性を有する基板上に導電性を有する端子部と導電性を有するリード部とが直列に形成された導電ユニットが、基板の端子部側端面の端子部が露出するように階段状に複数積層されるように構成した。
【００１５】
【発明の実施の形態】
図面を参照しながらこの発明の実施の形態について詳しく説明する。
【００１６】
図１〜３は、この発明の多層ＤＮＡマイクロアレイと多層ＤＮＡマイクロアレイ用コネクタの一実施例を示す断面図である。図４は、この発明の多層ＤＮＡマイクロアレイと多層ＤＮＡマイクロアレイ用コネクタの一実施例を示す斜視図である。図５は、この発明で用いるＤＮＡマイクロアレイユニットの一実施例を示す平面図である。図６は、この発明で用いる導電ユニットの一実施例を示す平面図である。図中、１は多層ＤＮＡマイクロアレイ、２は多層ＤＮＡマイクロアレイ用コネクタ、３はホルダ、１０はＤＮＡマイクロアレイユニット、１１は基板、１２は検出部、１３はリード部、１４は接着層、２０は導電ユニット、２１は基板、２２は端子部、２３はリード部、２４は接着層である。
【００１７】
この発明の多層ＤＮＡマイクロアレイ１は、絶縁性を有する基板１１上に導電性を有するリード部１３と核酸が固定化された検出部１２とが直列に形成されたＤＮＡマイクロアレイユニット１０が、基板１１のリード部側端面のリード部１３が露出するように階段状に複数積層されるように構成されたものである（図１〜３参照）。なお、この発明でいう多層ＤＮＡマイクロアレイ１とは、ＤＮＡの検出だけでなく、ＲＮＡの検出を行うものも含む。
【００１８】
ＤＮＡマイクロアレイユニット１０は、絶縁性を有する基板１１上に、導電性を有するリード部１３と核酸が固定化された検出部１２とが直列に形成されたものである（図５参照）。
【００１９】
このような構成のＤＮＡマイクロアレイユニット１０を得るには、たとえば、絶縁性を有する基板１１上に、リード部１３および検出部１２が直列になるように導電性インキを用いて連続的に印刷し、次いで核酸が固定化された導電性微粉末を未乾燥の検出部１２に付着させ、次いでリード部１３および検出部１２を乾燥させるようにするとよい。
【００２０】
基板１１としては、絶縁性を有し、導電性インキが印刷可能なものであればよく、たとえば、紙類、ポリエチレン樹脂、エチレン樹脂、ポリプロピレン樹脂、ポリイソブチレン樹脂、ポリエチレンテレフタレート樹脂、不飽和ポリエステル樹脂、含フッ素樹脂、ポリ塩化ビニル樹脂、ポリ塩化ビニリデン樹脂、ポリ酢酸ビニル樹脂、ポリビニルアルコール樹脂、ポリビニルアセタール樹脂、アクリル樹脂、ポリアクリロニトリル樹脂、ポリスチレン樹脂、アセタール樹脂、ポリカーボネート樹脂、ポリアミド樹脂、フェノール樹脂、ユリア樹脂、エポキシ樹脂、メラミン樹脂、スチレン・アクリロニトリル共重合体、アクリロニトリルブタジエンスチレン共重合体、シリコーン樹脂、ポリフェニレンオキサイド樹脂、ポリスルホン樹脂などの有機材料や、ガラス、アルミナなどの無機材料などを使用することができる。また、各基板１１の厚さが数十μｍ程度と薄いものであると、多層ＤＮＡマイクロアレイ１をより小型化することができ、多層ＤＮＡマイクロアレイ１に接触させるべき試料の量が少なくなるので好適である。
【００２１】
リード部１３および検出部１２は、絶縁性を有する基板１１上に直列になるように導電性インキなどを用いて連続的に形成することができる（図５参照）。
【００２２】
導電性インキは、導電性フィラー、バインダー、溶剤から少なくとも構成される。導電性フィラーとしては、導電性に優れた物質である銅粉、金粉、黒鉛、カーボンブラック、炭素繊維、ニッケル粉などを用いることができる。なお、銀粉は試料溶液中に溶出するなどマイグレーションが生じるおそれがあるため、他の物質をフィラーとして用いるのが好ましい。バインダーとしては、エポキシ系樹脂、アルキド系樹脂、アクリル系樹脂、ポリウレタン系樹脂、メラミン系樹脂、フェノール系樹脂、塩化ビニル−酢酸ビニル共重合体系樹脂などを用いることができる。溶剤としては、バインダーとして用いる樹脂を溶解するものを用いるとよい。また、必要に応じて、分散剤、滑剤、カップリング剤などの添加剤を加えてもよい。
【００２３】
導電性インキに要求される特性としては、導電性、印刷適正、乾燥性が挙げられる。導電性が小さいと検出信号が小さくなり、ノイズの影響が大きくなるので正しい検出結果を得るのが困難になる。この発明においては、導電性は、リード部１３の長さなどにより適宜精度よく検出できる範囲であればよく、ばらつきの少ない安定した検出信号を取り出すには１５００Ω／ｃｍ２以下であるのが好ましい。
【００２４】
導電性インキの印刷方法としては、たとえば、スクリーン印刷法、グラビア印刷法、オフセット印刷法、インクジェット印刷法など、通常の印刷法を用いることができる。印刷方法は、導電性インキの種類や、リード部１３および検出部１２のパターン形状などに応じて適宜選択すればよい。また、リード部１３および検出部１２は、めっき法などで形成することもできる。
【００２５】
リード部１３は、多層ＤＮＡマイクロアレイ１の検出部１２と多層ＤＮＡマイクロアレイ用コネクタ２の端子部２２との間を、所望の抵抗値によって接続されるように形成する。
【００２６】
検出部１２は、導電性インキの印刷によって、リード部１３および検出部１２が直列になるように連続したパターンとして１回の印刷工程で連続して印刷して形成することができる。検出部１２としては、所望の抵抗値を有するとともに、核酸が固定化された導電性微粉末を固着させるようにする。すなわち、核酸が固定化された導電性微粉末が確実に検出部１２の表面に固着できるようにするため、印刷された検出部１２の導電性インキ膜厚と、付着される導電性微粉末の粒径を、適宜選択するとよい。
【００２７】
核酸が固定化された導電性微粉末は、未乾燥の検出部１２に付着させる。導電性微粉末としては、導電性を有し、核酸を固定化することができるものを用いる。たとえば、金、グラシーカーボン、炭素などからなる微粉末を用いることができる。導電性微粉末の形状や大きさとしては、検出能力や再現性の点から印刷された導電性インキ上に一面に形成されるものであればよく、たとえば、球状、板状、針状など種々の形状のものを用いることができる。特に、形状が球状であると、検出部１２に均一に付着させることができるので好ましい。
【００２８】
導電性微粉末に対して核酸を固定化する方法としては、たとえば、グラシーカーボンを過マンガン酸カリウムで酸化することにより電極表面にカルボン酸を導入し、核酸のアミノ基とアミド結合形成させて固定化する方法がある。グラシーカーボンへの固定化は、Ｋｅｌｌｙ　Ｍ．Ｍｉｌｌａｎ　ａｎｄ　Ｓｕｓａｎ　Ｒ．Ｍｉｋｋｅｌｓｅｎ　，　Ａｎａｌｉｔｉｃａｌ　Ｃｈｅｍｉｓｔｒｙ　６５，２３１７−２３２３（１９９３）に記載されている。なお、本発明でいう核酸とは、ＤＮＡ断片またはＲＮＡ断片をいう。
【００２９】
リード部１３および検出部１２を構成する導電性インキを、加熱などの手段で乾燥させ、導電性微粉末を検出部１２に完全に固着させ剥離しないようにする。乾燥条件としては、核酸を破壊しない１００℃以下とするのが好ましい。導電性インキを乾燥させることにより、リード部１３および検出部１２を実用的な抵抗値にするとともに、導電性微粉末との密着をより強固にすることができる。
【００３０】
また、リード部１３および検出部１２は、１つのＤＮＡマイクロアレイユニット１０上に１組だけでなく、複数組のリード部１３および検出部１２が１枚の基板１１上に並行して配置するように構成してもよい。検出部１２の幅を小さくするほど多層ＤＮＡマイクロアレイ１を小型化することができ、必要とする試料の量を少なくできるので好ましいが、逆に検出感度も小さくなるので、リード部１３および検出部１２の数はこれらの要素を総合的に勘案して決定するとよい。
【００３１】
以上のようにしてＤＮＡマイクロアレイユニット１０を得ることができる。なお、以上に述べたＤＮＡマイクロアレイユニット１０の構成および製造方法は一例であり、この発明の請求項に記載した範囲において、他のＤＮＡマイクロアレイユニット１０の構成および製造方法であっても用いることができる。
【００３２】
ＤＮＡマイクロアレイユニット１０は、基板１１のリード部側端面のリード部１３が露出するように階段状に複数積層される。
【００３３】
ＤＮＡマイクロアレイユニット１０は、接着層１４を介して積層するとよい。接着層１４２４は確実にＤＮＡマイクロアレイユニット１０を固定し、検出時に不純物などの影響で検出感度を損なわないものであればよい。またＤＮＡマイクロアレイユニット１０上のＤＮＡを壊さない乾燥温度、すなわち約１００℃以下の温度で乾燥するものが好ましい。接着層１４としては、ホットメルト樹脂、アクリル樹脂、スチレンブタジエンゴムなどからなるものを用いるとよい。図１〜３に示すように、各ＤＮＡマイクロアレイユニット１０の貼り合わせは、基板１１のリード部側端面のリード部１３が露出するように階段状になるようにする。各ＤＮＡマイクロアレイユニット１０のリード部１３の長さは、それぞれ同一であっても（図２〜３参照）、異なるものであっても（図１参照）よい。リード部１３の長さを変える場合には、リード部１３が長いものほど検出感度が低下するので必要に応じて抵抗値を考慮してこれを補正するとよい。また、各ＤＮＡマイクロアレイユニット１０の基板１１の長さは、それぞれ同一であっても（図３参照）、異なるものであっても（図１〜２参照）よい。
【００３４】
多層ＤＮＡマイクロアレイ用コネクタ２は、絶縁性を有する基板２１上に導電性を有する端子部２２とリード部２３とが直列に形成された導電ユニット２０が、基板２１の端子部側端面の端子部２２が露出するように階段状に複数積層されているものである（図１〜２参照）。
【００３５】
基板２１としては、絶縁性を有し、多層ＤＮＡマイクロアレイ１との繰り返し接続において破損や変形を生じないものを用いるとよく、たとえば、エポキシ系樹脂、ポリエステル系樹脂などの各種プラスチック基板１１２１を用いることができる。また、多層ＤＮＡマイクロアレイ１と同じピッチの厚さで構成することによって、確実な導通を得ることができる。
【００３６】
端子部２２は、多層ＤＮＡマイクロアレイ１のリード部１３と接触して導通する部分である。端子部２２としては、多層ＤＮＡマイクロアレイ用コネクタ２の性質上、繰り返し使用されることが多いため、多層ＤＮＡマイクロアレイ１との接触を繰り返しても接続性能が損なわれないような金属または金属ペースト材料を用いて形成するのが好ましい。端子部２２をパターニングするには、フォトリソグラフィ法、エッチング法や、スクリーン印刷法などの手段を用いることができる。
【００３７】
リード部２３は、多層ＤＮＡマイクロアレイ用コネクタ２の一端に形成される端子部２２と、多層ＤＮＡマイクロアレイ用コネクタ２の他端に接続される機器類とを電気的に接続するものである。リード部２３としては、ＤＮＡマイクロアレイユニット１０の場合と同様にして形成するとよい。
【００３８】
以上のようにして導電ユニット２０を得ることができる。なお、以上に述べた導電ユニット２０の構成および製造方法は一例であり、この発明の請求項に記載した範囲において、他の導電ユニット２０の構成および製造方法であっても用いることができる。
【００３９】
導電ユニット２０の積層方法としては、各導電ユニット２０の基板２１の端子部側端面の端子部２２が露出するように、リード部２３上に接着層２４をコーティングし、基板２１どうしを階段状に貼り合わせるとよい。接着層２４としては、乾燥時に基板２１が反るなどの不具合が生じないものであって、たとえば、エポキシ系樹脂、アクリル系樹脂などの絶縁性を有するものを用いることができる。
【００４０】
上記した構成の多層ＤＮＡマイクロアレイ１と多層ＤＮＡマイクロアレイ用コネクタ２は、多層ＤＮＡマイクロアレイ１のリード部１３側の形状と多層ＤＮＡマイクロアレイ用コネクタ２の端子部２２側形状とが、同じピッチでそれぞれ階段状に形成されているので、積層方向のピッチが小さくても多層ＤＮＡマイクロアレイ１と多層ＤＮＡマイクロアレイ用コネクタ２とを容易に確実に接続することができる。
【００４１】
また、多層ＤＮＡマイクロアレイ１と多層ＤＮＡマイクロアレイ用コネクタ２との接続をより容易に確実なものにするためには、図４に示すように、位置ずれを防ぐためのホルダ３を多層ＤＮＡマイクロアレイ１と多層ＤＮＡマイクロアレイ用コネクタ２との接続箇所を覆うように設けてもよい。また、多層ＤＮＡマイクロアレイ１と多層ＤＮＡマイクロアレイ用コネクタ２とを圧着させるように圧力を加えるようにしてもよい。
【００４２】
【実施例】
厚さ１２５μｍ、大きさ７ｍｍ×７０ｍｍのポリエチレンテレフタレートフィルムを基板とし、その上に、リード部および検出部をカーボンインキを用いてスクリーン印刷法にて形成し、次いで検出部にＳｉｇｍａ−Ａｌｄｒｉｃｈ社製ポリグアニル酸カリウム塩（ＰＯＬＹＧＵＡＮＹＬＩＣ　ＡＣＩＤ　ｐｏｔａｓｓｉｕｍ　ｓａｌｔ）が固定化されたグラシーカーボン粉を散布して固定し、ＤＮＡマイクロアレイユニットを得た。
【００４３】
次いで、各ＤＮＡマイクロアレイユニットの検出部を含む両端１５ｍｍ以外の部分に、スチレンブタジエンゴムを主成分とする接着層（住友スリーエム株式会社製）を塗布し、図３に模式的に示すように階段状に各ＤＮＡマイクロアレイユニットを１０枚積層して多層ＤＮＡマイクロアレイを得た。
【００４４】
また、厚さ１２５μｍ、大きさ７ｍｍ×５０ｍｍのエポキシ樹脂銅張積層フィルムを導電ユニットとし、各導電ユニットの端子部側から１５ｍｍ以外の部分に、スチレンブタジエンゴムを主成分とする接着層（住友スリーエム株式会社製）を塗布し、図３に模式的に示すように階段状に各導電ユニットを１０枚積層した。次いで、多層に積層された導電ユニットを、厚さ１０ｍｍ、大きさ１０ｍｍ×１２０ｍｍのポリカーボネート板上に貼り合わせ、多層ＤＮＡマイクロアレイ用コネクタを得た。
【００４５】
このような構成の多層ＤＮＡマイクロアレイおよび多層ＤＮＡマイクロアレイ用コネクタをそれぞれ１０個作製して１０組の多層ＤＮＡマイクロアレイおよび多層ＤＮＡマイクロアレイ用コネクタとし、それぞれ多層ＤＮＡマイクロアレイと多層ＤＮＡマイクロアレイ用コネクタとの接続を試みて接続時間に要する時間を測定したところ、１０組の平均接続時間は２秒であり、また、接続し直す場合は生じなかった。
【００４６】
比較例として、各基板の長さを同一とし、図７に模式的に示すように各基板の端面が同一面に並ぶように各ＤＮＡマイクロアレイユニットを積層したこと以外は上記実施例と同様にして１０組の多層ＤＮＡマイクロアレイおよび多層ＤＮＡマイクロアレイ用コネクタを得た。
【００４７】
このようにして得た１０組の各多層ＤＮＡマイクロアレイと各多層ＤＮＡマイクロアレイ用コネクタについて、それぞれ接続を試みて接続時間に要する時間を測定したところ、１０組の平均接続時間は２０秒であった。また、上記接続試験において、正しい挿入位置で接続されなかったため再度接続し直す場合が６回あった。
【００４８】
【発明の効果】
この発明は、前記した構成からなるので、次のような効果を有する。
【００４９】
この発明の多層ＤＮＡマイクロアレイは、絶縁性を有する基板上に導電性を有するリード部と核酸が固定化された検出部とが直列に形成されたＤＮＡマイクロアレイユニットが、基板のリード部側端面のリード部が露出するように階段状に複数積層されるように構成されているので、積層方向のピッチが小さくても確実に接続することができるものである。
【００５０】
この発明の多層ＤＮＡマイクロアレイ用コネクタは、絶縁性を有する基板上に導電性を有する端子部と導電性を有するリード部とが直列に形成された導電ユニットが、基板の端子部側端面の端子部が露出するように階段状に複数積層されるように構成されているので、積層方向のピッチが小さい多層ＤＮＡマイクロアレイとの接続を容易かつ確実にすることができるものである。
【図面の簡単な説明】
【図１】この発明の多層ＤＮＡマイクロアレイと多層ＤＮＡマイクロアレイ用コネクタの一実施例を示す断面図である。
【図２】この発明の多層ＤＮＡマイクロアレイと多層ＤＮＡマイクロアレイ用コネクタの一実施例を示す断面図である。
【図３】この発明の多層ＤＮＡマイクロアレイと多層ＤＮＡマイクロアレイ用コネクタの一実施例を示す断面図である。
【図４】この発明の多層ＤＮＡマイクロアレイと多層ＤＮＡマイクロアレイ用コネクタの一実施例を示す斜視図である。
【図５】この発明で用いるＤＮＡマイクロアレイユニットの一実施例を示す平面図である。
【図６】この発明で用いる導電ユニットの一実施例を示す平面図である。
【図７】従来の多層ＤＮＡマイクロアレイと多層ＤＮＡマイクロアレイ用コネクタの一実施例を示す断面図である。
【符号の説明】
１　多層ＤＮＡマイクロアレイ
２　多層ＤＮＡマイクロアレイ用コネクタ
３　ホルダ
１０　ＤＮＡマイクロアレイユニット
１１　基板
１２　検出部
１３　リード部
１４　接着層
２０　導電ユニット
２１　基板
２２　端子部
２３　リード部
２４　接着層
【図１】
2004012439.tif 000003
【図２】
2004012439.tif 000004
【図３】
2004012439.tif 000005
【図４】
2004012439.tif 000006
【図５】
2004012439.tif 000007
【図６】
2004012439.tif 000008
【図７】
2004012439.tif 000009